(57)【要約】      （修正有）【課題】構成部品をプラスチックで一体成形し、しかも追加加工する必要がないようなクリップを提供する。【解決手段】先端に爪２１を有する下部要素２と、先端に爪３１を有する上部要素３と、前記上下要素２，３の爪２１，３１同士を閉鎖方向に付勢するバネ作用を有する連結部４と、前記連結部４のバネ作用を補助する補助バネ、の４部品を有し、これらの４部品がプラスチックにより一体成形されている。前記補助バネ５は、前記下部要素２から前記上部要素３に向かって立ち上がっており、この補助バネ５の遊端は前記上部要素３の後端近くまで伸びている。【選択図】図５
2013019497.tif 000002
【特許請求の範囲】
【請求項１】
先端に爪（２１）を有する下部要素（２）と、
先端に爪（３１）を有する上部要素（３）と、
前記上下要素（２，３）の爪（２１，３１）同士を閉鎖方向に付勢するバネ作用を有する連結部（４）と、
前記連結部（４）のバネ作用を補助する補助バネ、
の４部品を有し、これらの４部品がプラスチックにより一体成形されていることを特徴とするクリップ。
【請求項２】
前記補助バネ（５）が、前記下部要素（２）から前記上部要素（３）に向かって立ち上がっており、この補助バネ（５）の遊端は前記上部要素（３）の後端近くまで伸びているものである請求項１記載のクリップ。
【請求項３】
前記連結部（４）は、前記上下要素（２，３）のほぼ中央部かそのやや前方に、縦断面円弧状に湾曲して設けられた板状部材であることである請求項１又は２記載のクリップ。
【発明の詳細な説明】
【技術分野】
【０００１】
本発明は、一対の爪で物を挟むクリップに関し、特に一体成形が可能なプラスチック製のクリップに関する。
【背景技術】
【０００２】
書類挟み、名札挟み、洗濯挟み、等として使用されるクリップにはさまざまな種類がある。よく見かけるものは、先端に爪を有する右側要素と、先端に爪を有する左側要素と、前記左右要素の爪同士を閉鎖方向に付勢するバネ、の３点から構成されているものである。右側要素と左側要素はそれぞれの中央に位置する支点で連結されている。
【０００３】
このタイプのクリップは、３点の要素を組み立てる必要がある。バネをはめ込みながら、右側要素と左側要素をそれぞれの中央に位置する支点で連結するのは手間のかかる作業である。
【０００４】
この欠点を解消するために、前記３要素をプラスチックで一体成形したクリップが提案されている。たとえば、実開昭６２−４３５９１、実開昭５６−１５８５１０などである。
【発明の概要】
【発明が解決しようとする課題】
【０００５】
前記従来技術はプラスチックによる一体成形であるが、成形後に支点部分で左右要素を連結する追加加工を必要とする。本発明は、前記３要素をプラスチックで一体成形するが、前記従来技術と異なって成形後には完成状態となり、後で追加加工する必要がないようなクリップを提供することを目的とする。
【課題を解決するための手段】
【０００６】
本発明のクリップは、先端に爪２１を有する下部要素２と、先端に爪３１を有する上部要素３と、前記上下要素２，３の爪２１，３１同士を閉鎖方向に付勢するバネ作用を有する連結部４と、前記連結部のバネ作用を補助する補助バネ、の４部品からなり、これらの４部品がプラスチックにより一体成形されていることを特徴とする（請求項１）。
【０００７】
好ましくは、前記補助バネは、下部要素２から上部要素３に向かって立ち上がっており、補助バネ５の遊端は上部要素３の後端近くまで伸びているものである（請求項２）。
【０００８】
好ましくは、前記連結部は、上下要素２，３のほぼ中央部かそのやや前方に、縦断面円弧状に湾曲して設けられた板状部材であることである（請求項３）。
【０００９】
なお、上記において、「上」「下」という表現は相対的なものであり、上と下を逆に見ることも、左右ととらえることもできるのはもちろんである。
【発明の効果】
【００１０】
本発明によれば、全部品がプラスチックで一体成形される。しかも、前記従来技術と異なって成形後には完成状態となり、後で追加加工する必要がない。
【００１１】
請求項２の発明によれば、補助バネが設けられるので、一体成形された製品に不足しがちなバネ作用を強化することができる。
【００１２】
請求項３の発明によれば、前記連結部は縦断面円弧状に湾曲して設けられているので、バネ作用が発揮されやすくなっている。
【図面の簡単な説明】
【００１３】
【図１】本発明の使用状態を示す斜視図である。
【図２】斜め前方から見た本発明クリップの斜視図である。
【図３】斜め後方から見た本発明クリップの斜視図である。
【図４】本発明クリップの（ａ）平面図、（ｂ）側面図、（ｃ）底面図、（ｄ）正面図、（ｅ）背面図である。
【図５】（ａ）〜（ｃ）は、本発明クリップの動作を示す一連の断面図である。
【発明を実施するための形態】
【００１４】
図１に示すクリップ１は名札挟みである。図２〜図５から明らかなように、このクリップ１はプラスチックで一体成形されたものであり、構成部品の間に継ぎ目や嵌め込みがない。
【００１５】
一体成形はたとえば射出成形法によることができる。使用可能なプラスチックとしては、芳香族ポリアミド樹脂、６，６−ナイロン、４，６−ナイロン、熱可塑性ポリイミド樹脂等が挙げられる。
【００１６】
図２〜図４に示すように、このクリップ１は、先端に爪２１を有する下部要素２と、先端に爪３１を有する上部要素３と、前記上下要素２，３の爪２１，３１同士を閉鎖方向に付勢するバネ作用を有する連結部４、このバネ作用を補助する補助バネ、の４部品を有する。
【００１７】
下部要素２は先端に上向きの短い板状の爪２１を突出させている。さらにこの実施例では、下部要素２の外側にＵ字状部２２が形成されていて、このＵ字状部と胸ポケット生地を係合させることにより、名札挟みを直接衣服に固定させることもできるようにしている。符号２３は抜け止め突起である。
【００１８】
上部要素３は先端に下向きの短い板状の爪３１を突出させている。図２、図４（ｂ）に示すように、上下の爪２１、３１はずらされて配置されているので爪２１，３１同士が直接接触はしていない。さらにこの実施例では、上部要素３の後部にストラップＳの挿通孔３２を形成するように延長部３３が設けられている。
【００１９】
上下要素２，３を繋ぐと共にバネの役割を果たすのが連結部４である。連結部４は、上下要素２，３のほぼ中央部かそのやや前方に、縦断面円弧状に湾曲して設けられた板状部材である。
【００２０】
この連結部４のバネ機能を強化するために別に補助バネ５が設けられている。補助バネ５は下部要素２から上部要素３に向かってＳ字カーブを描きながら立ち上がっている。補助バネ５の遊端は上部要素３の後端近く、延長部３３の手前まで伸びているが、自然状態では上部要素３に接触していない。
【００２１】
図５に基づき、このクリップの作用を説明する。（ａ）はこれから名札Ｎを挟もうとする段階である。（ｂ）は名札Ｎを挟むために上部要素３の後端を指で押し下げているところである。このとき、連結部４が支点となって上下の爪２１，３１は開く。補助バネ５は上部要素３の後端により押し下げられる。
【００２２】
圧力を加えていた指を離すと連結部４のバネ作用で（ｃ）の状態となる。連結部４だけではバネ作用がやや弱いので、補助バネ５の反発力も借りている。補助バネの形状は図示のものに限られず、バネ作用を生じさせる形状であればどのようなものでもよい。
【先行技術文献】
【特許文献】
【００２３】
【特許文献１】実開昭６２−４３５９１
【特許文献２】実開昭５６−１５８５１０
【符号の説明】
【００２４】
１     クリップ
２     下部要素
２１   爪
２２   Ｕ字状部
２３   抜け止め突起
３     上部要素
３１   爪
３２   挿通孔
３３   延長部
４     連結部
５     補助バネ
Ｎ     名札
Ｓ     ストラップ
【図１】
2013019497.tif 000003
【図２】
2013019497.tif 000004
【図３】
2013019497.tif 000005
【図４】
2013019497.tif 000006
【図５】
2013019497.tif 000007